(57)【要約】【課題】  ディスプレイユニットを本体ユニットに対して自動にスライド移動させることで、使用上の便宜性を向上し得る開閉方式携帯端末機を提供しようとする。【解決手段】ディスプレイユニット４と本体ユニット２間に形成されて、前記ディスプレイユニット４のスライド移動をガイドするガイド部２０と、前記ディスプレイユニット４が直線状移動されるように駆動させる駆動部２２と、前記ディスプレイユニット４を開放方向に押すと、前記駆動部２２に正方向の電源を印加し、前記ディスプレイユニットを閉鎖方向に押すと、前記駆動部２２に逆方向の電源を印加するスイッチング部２４と、を含んでスライド開閉方式携帯端末機の開閉装置を構成する。【選択図】  図１
2005033794.tif 000002
【特許請求の範囲】
【請求項１】
ディスプレイユニットと本体ユニット間に形成されて、前記ディスプレイユニットのスライド移動をガイドするガイド部と、
前記ディスプレイユニットが直線状移動されるように駆動させる駆動部と、
前記ディスプレイユニットを開放方向に押すと、前記駆動部に正方向の電源を印加し、前記ディスプレイユニットを閉鎖方向に押すと、前記駆動部に逆方向の電源を印加するスイッチング部と、を含んで構成されることを特徴とするスライド開閉方式携帯端末機の開閉装置。
【請求項２】
前記ガイド部は、前記ディスプレイユニットの後面に長さ方向に形成されたガイドグルーブと、前記本体ユニットの前面に形成されて、前記ガイドグルーブに嵌合されて該ガイドグルーブに沿って長さ方向にスライド移動されるガイドフックと、から構成されることを特徴とする請求項１記載のスライド開閉方式携帯端末機の開閉装置。
【請求項３】
前記駆動部は、前記本体ユニットに装着されて、電源が印加されると回転力を発生する駆動モータと、
該駆動モータの回転軸に装着されて一緒に回転されるピニオンギヤーと、
前記ディスプレイユニットの後面に長さ方向に形成されて前記ピニオンギヤーと噛合されるラックギヤーと、から構成されることを特徴とする請求項１記載のスライド開閉方式携帯端末機の開閉装置。
【請求項４】
前記スイッチング部は、ディスプレイユニットに長さ方向に間隔を有して形成された第１及び第２スイッチ動作溝と、
前記本体ユニットの上面に装着されて、前記第１スイッチ動作溝及び第２スイッチ動作溝に挿入されると電源をオフにし、前記第１及び第２スイッチ動作溝から離脱されると前記駆動モータを正方向または逆方向に駆動させる駆動スイッチと、から構成されることを特徴とする請求項３記載のスライド開閉方式携帯端末機の開閉装置。
【請求項５】
前記駆動スイッチは、前記本体ユニットの上面に露出されるように装着されたスイッチレバーと、
該スイッチレバーの下面に連結されて、前記スイッチレバーが一方向に傾くと、直線状移動されて駆動モータに正方向の電源を印加する第１可動端子と、
前記スイッチレバーの下面に連結されて、前記スイッチレバーが他方向に傾くと、直線状移動されて駆動モータに逆方向の電源を印加する第２可動端子と、から構成されることを特徴とする請求項４記載のスライド開閉方式携帯端末機の開閉装置。
【請求項６】
前記駆動スイッチは、前記第１可動端子と接続される第１固定端子と、前記第２可動端子と接続される第２固定端子と、から構成されることを特徴とする請求項５記載のスライド開閉方式携帯端末機。
【請求項７】
前記第１固定端子および第２固定端子は支持台により支持され、該支持台と前記スイッチレバー間には、該スイッチレバーに弾性力を与えるスプリングが設置されることを特徴とする請求項６記載のスライド開閉方式携帯端末機。
【請求項８】
前記スイッチング部は、前記駆動モータの回転子が強制に回転運動されることで発生する逆起電流を感知し、前記駆動モータを正方向または逆方向に駆動させる逆起電流感知センサにより構成されることを特徴とする請求項３記載のスライド開閉方式携帯端末機。
【請求項９】
前記逆起電流感知センサは、前記ディスプレイユニットを開放方向または閉鎖方向に押したとき、駆動モータの回転子が強制に回転されることで発生する逆起電流を感知し、その信号をコントローラに印加するセンサであることを特徴とする請求項８記載のスライド開閉方式携帯端末機。
【請求項１０】
前記スイッチング部は、ディスプレイユニットの下面に所定間隔を有して長さ方向に装着された第１マグネット及び第２マグネットと、
前記本体ユニットの上面に装着されて、前記第１マグネットおよび第２マグネット中何れか一つと互いに対向配置されて前記第１及び第２マグネットの磁力を感知する磁気感知センサと、から構成されることを特徴とする請求項３記載のスライド開閉方式携帯端末機。
【請求項１１】
前記第１マグネットは、前記磁気感知センサと対向位置されて前記ディスプレイユニットが閉鎖される位置に装着され、前記第２マグネットは、前記磁気感知センサと対向位置されて前記ディスプレイユニットが開放される位置に装着されることを特徴とする請求項１０記載のスライド開閉方式携帯端末機。
【発明の詳細な説明】
【技術分野】
【０００１】
本発明は、スライド開閉タイプ携帯端末機に係るもので、詳しくは、ディスプレイユニットを自動に開閉し得る携帯端末機のスライド開閉装置に関するものである。
【背景技術】
【０００２】
一般に、携帯端末機は、入力ボタン領域を開閉するように本体にフリップが回転自在に装着されたフリップタイプと、ダイヤルボタン及びメニューボタンなどが備わった本体と、該本体に回転自在に装着されてＬＣＤが付着されたホルダーとから構成されるホルダータイプなどに区分されるが、最近は、多様な情報を画像で表示するために、大きな画面を有する端末機が必要となってきた。
【０００３】
このため、大きなＬＣＤ液晶画面が装着されて各種の画像情報をディスプレイするディスプレイユニットと、使用者が情報を入力する本体ユニットとをスライド方式で開閉するスライディング開閉タイプ携帯端末機が開発された。
【０００４】
図１４は従来のスライディング開閉タイプ携帯端末機を示した斜視図である。
【０００５】
従来のスライディング開閉タイプ携帯端末機は、各種の情報をディスプレイするＬＣＤ１１０が付着されたディスプレイユニット１０２と、該ディスプレイユニット１０２がスライド自在に装着されて、その前面に各種の操作ボタン１０６が設置された本体ユニット１０４と、前記ディスプレイユニット１０２と本体ユニット１０４間に設置されて、前記ディスプレイユニット１０２をスライディング開閉させるスライディングユニット１２６、１２８と、を含んで構成されている。
【０００６】
ここで、前記スライディングユニット１２６、１２８は、前記本体ユニット１０４の両側面に長さ方向に形成されたガイドグルーブ１２６と、前記ディスプレイユニット１０２の両側縁部に形成されて、前記ガイドグルーブ１２６に挿入されて長さ方向に移動されるガイドレール１２８と、から構成される。
【０００７】
このような従来の携帯端末機のスライディングユニット１２６、１２８は、使用者が手動でディスプレイユニット１０２を長さ方向に押し上げると開放され、ディスプレイユニット１０２を反対方向に引き下げると閉鎖される。
【発明の開示】
【発明が解決しようとする課題】
【０００８】
然るに、従来のスライディング開閉方式携帯端末機は、使用者が手動でディスプレイユニットを押して開放し、再びディスプレイユニットを反対方向に押して閉鎖するため、使用するのに不便であるという不都合な点があった。
【０００９】
本発明は、このような従来の課題に鑑みてなされたもので、ディスプレイユニットを本体ユニットに対して自動にスライド移動させることで、使用上の便宜性を向上し得る開閉方式携帯端末機を提供することを目的とする。
【課題を解決するための手段】
【００１０】
このような目的を達成するため、本発明に係るスライド開閉方式携帯端末機は、ディスプレイユニットと本体ユニット間に形成されて、前記ディスプレイユニットのスライド移動をガイドするガイド部と、前記ディスプレイユニットが直線状移動されるように駆動させる駆動部と、前記ディスプレイユニットを開放方向に押すと、前記駆動部に正方向の電源を印加し、前記ディスプレイユニットを閉鎖方向に押すと、前記駆動部に逆方向の電源を印加するスイッチング部と、を含んで構成されることを特徴とする。
【００１１】
又、前記ガイド部は、前記ディスプレイユニットの後面に長さ方向に形成されたガイドグルーブと、前記本体ユニットの前面に形成されて、前記ガイドグルーブに嵌合されて該ガイドグルーブに沿って長さ方向にスライド移動されるガイドフックと、から構成されることを特徴とする。
【００１２】
又、前記駆動部は、前記本体ユニットに装着されて、電源が印加されると回転力を発生する駆動モータと、該駆動モータの回転軸に装着されて一緒に回転されるピニオンギヤーと、前記ディスプレイユニットの後面に長さ方向に形成されて前記ピニオンギヤーと噛合されるラックギヤーと、から構成されることを特徴とする。
【００１３】
又、前記スイッチング部は、ディスプレイユニットに長さ方向に間隔を有して形成された第１及び第２スイッチ動作溝と、前記本体ユニットの上面に装着されて、前記第１スイッチ動作溝及び第２スイッチ動作溝に挿入されると電源をオフにし、前記第１及び第２スイッチ動作溝から離脱されると前記駆動モータを正方向または逆方向に駆動させる駆動スイッチと、から構成されることを特徴とする。
【００１４】
又、前記駆動スイッチは、前記本体ユニットの上面に露出されるように装着されたスイッチレバーと、該スイッチレバーの下面に連結されて、前記スイッチレバーが一方向に傾くと、直線状移動されて駆動モータに正方向の電源を印加する第１可動端子と、前記スイッチレバーの下面に連結されて、前記スイッチレバーが他方向に傾くと、直線状移動されて駆動モータに逆方向の電源を印加する第２可動端子と、から構成されることを特徴とする。
【００１５】
本発明によるスライド開閉方式携帯端末機の開閉装置は、ディスプレイユニットと本体ユニット間に形成されて、前記ディスプレイユニットのスライド移動をガイドするガイド部と、前記ディスプレイユニットが直線状移動されるように駆動させる駆動部と、前記ディスプレイユニットを開放方向に押すと、前記駆動部に正方向の電源を印加し、前記ディスプレイユニットを閉鎖方向に押すと、前記駆動部に逆方向の電源を印加するスイッチング部と、を含んで構成されることを特徴とし、これにより上記目的を達成する。
【００１６】
前記ガイド部は、前記ディスプレイユニットの後面に長さ方向に形成されたガイドグルーブと、前記本体ユニットの前面に形成されて、前記ガイドグルーブに嵌合されて該ガイドグルーブに沿って長さ方向にスライド移動されるガイドフックと、から構成されることを特徴としてもよい。
【００１７】
前記駆動部は、前記本体ユニットに装着されて、電源が印加されると回転力を発生する駆動モータと、該駆動モータの回転軸に装着されて一緒に回転されるピニオンギヤーと、前記ディスプレイユニットの後面に長さ方向に形成されて前記ピニオンギヤーと噛合されるラックギヤーと、から構成されることを特徴としてもよい。
【００１８】
前記スイッチング部は、ディスプレイユニットに長さ方向に間隔を有して形成された第１及び第２スイッチ動作溝と、前記本体ユニットの上面に装着されて、前記第１スイッチ動作溝及び第２スイッチ動作溝に挿入されると電源をオフにし、前記第１及び第２スイッチ動作溝から離脱されると前記駆動モータを正方向または逆方向に駆動させる駆動スイッチと、から構成されることを特徴としてもよい。
【００１９】
前記駆動スイッチは、前記本体ユニットの上面に露出されるように装着されたスイッチレバーと、該スイッチレバーの下面に連結されて、前記スイッチレバーが一方向に傾くと、直線状移動されて駆動モータに正方向の電源を印加する第１可動端子と、前記スイッチレバーの下面に連結されて、前記スイッチレバーが他方向に傾くと、直線状移動されて駆動モータに逆方向の電源を印加する第２可動端子と、から構成されることを特徴としてもよい。
【００２０】
前記駆動スイッチは、前記第１可動端子と接続される第１固定端子と、前記第２可動端子と接続される第２固定端子と、から構成されることを特徴としてもよい。
【００２１】
前記第１固定端子および第２固定端子は支持台により支持され、該支持台と前記スイッチレバー間には、該スイッチレバーに弾性力を与えるスプリングが設置されることを特徴としてもよい。
【００２２】
前記スイッチング部は、前記駆動モータの回転子が強制に回転運動されることで発生する逆起電流を感知し、前記駆動モータを正方向または逆方向に駆動させる逆起電流感知センサにより構成されることを特徴としてもよい。
【００２３】
前記逆起電流感知センサは、前記ディスプレイユニットを開放方向または閉鎖方向に押したとき、駆動モータの回転子が強制に回転されることで発生する逆起電流を感知し、その信号をコントローラに印加するセンサであることを特徴としてもよい。
【００２４】
前記スイッチング部は、ディスプレイユニットの下面に所定間隔を有して長さ方向に装着された第１マグネット及び第２マグネットと、前記本体ユニットの上面に装着されて、前記第１マグネットおよび第２マグネット中何れか一つと互いに対向配置されて前記第１及び第２マグネットの磁力を感知する磁気感知センサと、から構成されることを特徴としてもよい。
【００２５】
前記第１マグネットは、前記磁気感知センサと対向位置されて前記ディスプレイユニットが閉鎖される位置に装着され、前記第２マグネットは、前記磁気感知センサと対向位置されて前記ディスプレイユニットが開放される位置に装着されることを特徴としてもよい。
【発明の効果】
【００２６】
本発明に係るスライド開閉方式携帯端末機の開閉装置は、ディスプレイユニットを開放方向に押すと、スイッチング部の動作により駆動モータを正方向に駆動させてディスプレイユニットを自動に開放させ、ディスプレイユニットを閉鎖方向に押すと、スイッチング部の動作により前記駆動モータを逆方向に駆動させてディスプレイユニットを自動に閉鎖させることで、使用上の便利性を増大し得るという効果がある。
【発明を実施するための最良の形態】
【００２７】
以下、本発明の実施の形態に対し、図面に基づいて説明する。
【００２８】
図１は本発明の第１実施形態に係るスライド開閉方式携帯端末機を示した斜視図で、図２は本発明の第１実施形態に係るスライド開閉方式携帯端末機を示した分解斜視図である。
【００２９】
本発明の第１実施形態に係るスライド開閉方式携帯端末機は、各種の操作ボタン１４が設置された本体ユニット２と、該本体ユニット２にスライド移動自在に装着されて、映像情報をディスプレイするＬＣＤ６が付着されたディスプレイユニット４と、該ディスプレイユニット４を自動に開閉させるスライド開閉装置と、を含んで構成されている。
【００３０】
前記ディスプレイユニット４の前面にはレシーバ８が設置され、前記本体ユニット２の前面にはマイク１０が設置され、本体ユニット２の後面にはバッテリ１２が装着される。
【００３１】
前記スライド開閉装置は、前記本体ユニット２の前面と前記ディスプレイユニット４の後面間に形成されて、前記ディスプレイユニット４が長さ方向にスライド移動されるようにガイドするガイド部２０と、前記ディスプレイユニット４がスライド移動される駆動力を発生する駆動部２２と、使用者の操作により前記駆動部２２をオン／オフにするスイッチング部２４と、から構成される。
【００３２】
前記ガイド部２０は、ディスプレイユニット４の後面の両側縁部にそれぞれ長さ方向に形成されたガイドグルーブ１６と、前記本体ユニット２の前面に形成されて、前記ガイドグルーブ１６に嵌合されて該ガイドグルーブ１６に沿って長さ方向にスライド移動されるガイドフック１８と、から構成される。
【００３３】
ここで、前記ガイドフック１８は、図３に示したように、前記本体ユニット２２の前面から突出されて、その端部が両側に分かれると共に、弾性力を有して形成されることで、ガイドグルーブ１６に嵌合されると、該ガイドグルーブ１６の内側面に係って離脱されることが防止される。
【００３４】
前記駆動部２２は、本体ユニット２に装着されて、電源が印加されると回転力を発生する駆動モータ２６と、該駆動モータ２６の回転軸に装着されて一緒に回転され、その一部が前記本体ユニット２の上面に露出されるように配置されたピニオンギヤー２８と、前記ディスプレイユニット４の下面に長さ方向に形成されて、前記ピニオンギヤー２８と噛合されるラックギヤー３０と、から構成される。ここで、前記本体ユニット２の上面には、前記ピニオンギヤー２８を外部に露出させる貫通ホール３２が形成される。
【００３５】
このような駆動部２２は、駆動モータ２６に正方向の電源が印加されると、ピニオンギヤー２８が正方向に回転されることで、前記ピニオンギヤー２８と噛合されたラックギヤー３０が直線状移動されてディスプレイユニット４が開放される。そして、前記駆動モータ２６に逆方向の電源が印加されると、ピニオンギヤー２８が逆方向に回転されることで、ラックギヤー３０が反対方向に直線状移動されてディスプレイユニット４が閉鎖される。
【００３６】
前記スイッチング部２４は、図５に示したように、前記ディスプレイユニット４の下面に形成された第１スイッチ動作溝３６及び第２スイッチ動作溝３８と、前記本体ユニット２の上面に突出設置されて、前記第１スイッチ動作溝３６及び第２スイッチ動作溝３８に挿入されると電源をオフにし、前記第１スイッチ動作溝３６及び第２スイッチ動作溝３８から離脱されると電源をオンにする駆動スイッチ４０と、から構成される。
【００３７】
前記第１スイッチ動作溝３６は、前記ディスプレイユニット４が閉鎖されるとき、前記駆動スイッチ４０が挿入される位置に形成され、前記第２スイッチ動作溝３８は、前記ディスプレイユニット４が最大限に開放されるとき、前記駆動スイッチ４０が挿入される位置に形成される。
【００３８】
前記駆動スイッチ４０は、前記本体ユニット２の挿入溝４２に配置され、本体ユニット２の上面から所定高さだけ突出されたスイッチレバー４４と、該スイッチレバー４４の下側に連結されて、前記スイッチレバー４４が上側方向に傾くと、直線状移動されて第１固定端子４６と接触される第１可動端子４８と、前記スイッチレバー４４の下側に連結されて、前記スイッチレバー４４が下側方向に傾くと、直線状移動されて第２固定端子５０と接触される第２可動端子５２と、から構成される。
【００３９】
そして、前記スイッチレバー４４の下側中央にはグラウンド可動端子５４が連結され、前記スイッチレバー４４が中央に位置されると、前記グラウンド可動端子５４はグラウンド固定端子５６に接触される。ここで、前記第１固定端子４６、第２固定端子５０及びグラウンド固定端子５６は支持板５８により支持される。
【００４０】
該支持板５８と前記スイッチレバー４４間にはスプリング６０が設置されて、前記スイッチレバー４４に弾性力を与える。
【００４１】
前記スイッチレバー４４は、断面三角形状に形成され、前記第１スイッチ動作溝３６および第２スイッチ動作溝３８に挿入された場合、前記グラウンド可動端子５４とグラウンド固定端子５６とが互いに接触されて電源がオフになる。そして、前記ディスプレイユニット４を開放方向に押すとスイッチレバー４４が上側方向に傾き、前記第１可動端子４８と第１固定端子４６とが互いに接触されて前記駆動モータ２６に正方向の電源が印加される。又、ディスプレイユニット４を閉鎖方向に押すとスイッチレバー４４が下側方向に傾き、前記第２可動端子５２と第２固定端子５０とが互いに接触されて前記駆動モータ２６に逆方向の電源が印加される。
【００４２】
以下、このように構成された本発明の第１実施形態に係るスライド開閉装置の作用を説明する。
【００４３】
図４乃至図７は本発明の第１実施形態に係るスライド開閉装置の動作状態図である。
【００４４】
ディスプレイユニット４が閉鎖状態であると、図４に示したように、前記スイッチレバー４４が第１スイッチ動作溝３６に挿入されて中央に位置され、電源が遮断された状態になる。このとき、前記グラウンド可動端子５４とグラウンド固定端子５６とが互いに接触された状態を維持する。
【００４５】
このような状態で、使用者が端末機を使用するためにディスプレイユニット４を開放方向に押すと、図５に示したように、前記スイッチレバー４４が第１スイッチ動作溝３６から離脱されながら、前記ディスプレイユニット４の後面に接触されて上側方向に傾く。すると、前記グラウンド可動端子５４とグラウンド固定端子５６とが互いに離れ、第１可動端子４８と第１固定端子４６とが互いに接触されて前記駆動モータ２６に正方向の電源が印加される。
【００４６】
ここで、前記駆動モータ２６が正方向に駆動されると、ピニオンギヤー２８が回転されて、該ピニオンギヤー２６と噛合されたラックギヤー３０が直線状移動され、該ラックギヤー３０の装着されたディスプレイユニット４が開放方向にスライド移動される。
【００４７】
前記ディスプレイユニット４が継続して移動されて、前記スイッチレバー４４が第２スイッチ動作溝３８に挿入されると、図６に示したように、前記スイッチレバー４４が中央に位置されながら、第１可動端子４８が第１固定端子４６から離れて駆動モータ２６への電源が遮断される。このとき、前記ディスプレイユニット４は最大に開放された状態になる。
【００４８】
このような状態で端末機の使用が終了されて、使用者が前記ディスプレイユニット４を閉鎖方向に押すと、図７に示したように、前記スイッチレバー４４が前記第２スイッチ動作溝３８から離脱されて下側方向に傾き、前記第２可動端子５２が直線状移動されて第２固定端子５０に接続される。すると、駆動モータ２６に逆方向の電源が印加されることで、ピニオンギヤー２８が逆方向に回転されてラックギヤー３０を直線状移動させると、前記ディスプレイユニット４は閉鎖方向に移動される。
【００４９】
そして、前記ディスプレイユニット４が移動されて、スイッチレバー４４が第１スイッチ動作溝３６に挿入されると、駆動モータ２６への電源供給が遮断されてディスプレイユニット４は閉鎖状態を維持する。
【００５０】
図８は本発明の第２実施形態に係るスライド開閉装置のスイッチング部を示したブロック図である。
【００５１】
第２実施形態に係るスライド開閉装置のスイッチング部は、駆動モータ２６の回転子が強制に回転運動されることで発生する逆起電流を感知する逆起電流感知センサ６０と、該逆起電流感知センサ６０から印加される信号によって駆動モータ２６を正方向または逆方向に駆動させるコントローラ６２と、から構成されている。
【００５２】
このような第２実施形態に係るスイッチング部の作用を、図９のフローチャートに基づいて説明すると、使用者がディスプレイユニット４を開放方向に押すと、ディスプレイユニット４に装着されたラックギヤー３０と噛合されたピニオンギヤー２８が回転されることで、駆動モータ２６の回転子が強制に回転運動される。すると、前記回転子の周辺の巻線コイルには、回転速度に比例して反対方向の逆起電圧が発生する。この時に発生する逆起電流を前記逆起電流感知センサ６０で感知し、その信号をコントローラ６２に印加する（Ｓ１０）。
【００５３】
次いで、前記コントロール６２は、前記駆動モータ２６に正方向の電源を印加して駆動モータ２６を正方向に駆動させ、前記ディスプレイユニット４が自動に開放される（Ｓ２０、Ｓ３０）。
【００５４】
次いで、前記ディスプレイユニット４が最大限に開放された状態になると、電源遮断手段により駆動モータに印加される電源が遮断され、ディスプレイユニットは開放状態を維持する。ここで、前記電源遮断手段は、前記ディスプレイユニットと本体ユニット間に設置されて、前記ディスプレイユニットが最大限に開放されると、スイッチングされて電源を遮断するもので多様に実施される（Ｓ４０）。
【００５５】
次いで、端末機の使用を終了して、使用者がディスプレイユニット４を閉鎖方向に押すと、前記逆起電流感知センサ６０で前記と反対方向の逆起電流を感知し、その信号をコントローラ６２に印加する。すると、該コントローラ６２は、前記駆動モータ２６に逆方向の電流を印加して駆動モータ２６を駆動させ、ディスプレイユニット４を自動に閉鎖させる駆動力を与える（Ｓ５０、Ｓ６０）。
【００５６】
次いで、前記ディスプレイユニット４が完全に閉鎖されると、電源遮断手段により駆動モータ２６に印加される電源が遮断される（Ｓ７０、Ｓ８０）。
【００５７】
図１０は本発明の第３実施形態に係るスライド開閉装置のスイッチング部を示したブロック図で、図１１は本発明の第３実施形態に係るスライド開閉装置のスイッチング部を示した側面図である。
【００５８】
第３実施形態に係るスライド開閉装置のスイッチング部は、ディスプレイユニット４の下面に所定間隔を有して長さ方向に装着された第１マグネット８０及び第２マグネット８２と、前記本体ユニット２の上面に装着されて、前記第１マグネット８０および第２マグネット８２中何れか一つと互いに対向配置されて前記第１及び第２マグネット８０、８２の磁力を感知する磁気感知センサ８４と、該磁気感知センサ８４から印加される信号により前記駆動モータ２６を正方向または逆方向に駆動させるコントローラ８６と、から構成される。
【００５９】
このような第３実施形態に係るスライド開閉装置のスイッチング部の作用を説明すると、図１１に示したように、ディスプレイユニット４が閉鎖状態であると、前記磁気感知センサ８４は、第１マグネット８０と互いに対向位置されて該第１マグネット８０の磁力を感知する。この場合、コントローラ８６は、駆動モータ２６のオフ状態を維持する。
【００６０】
このような状態で使用者がディスプレイユニット４を開放方向に押すと、図１２に示したように、前記磁気感知センサ８４と第１マグネット８０間が離れて前記磁気感知センサ８０で磁力を感知できなくなり、このとき、前記磁気感知センサ８０から印加される信号により、前記コントローラ８６は駆動モータ２６を正方向に駆動させ、ディスプレイユニット４を自動に開放させる。
【００６１】
そして、ディスプレイユニット４が最大限に開放されると、図１３に示したように、前記磁気感知センサ８０は、第２マグネット８２と互いに対向配置されて磁力を感知し、その信号がコントローラ８６に印加されると、該コントローラ８６は駆動モータ２６を停止させ、ディスプレイユニット４の開放状態を維持する。
【００６２】
そして、端末機の使用を終了して、使用者がディスプレイユニット４を閉鎖方向に押すと、前記磁気感知センサ８６が第２マグネット８２から離れて磁力を感知できなくなり、その信号がコントローラ８６に印加されると、該コントローラ８６は駆動モータ２６を逆方向に駆動させ、ディスプレイユニット４の閉鎖方向に駆動力を与える。そして、磁気感知センサ８４が第１マグネット８０と対向配置されて、磁気感知センサ８４から磁力を感知し、その信号をコントローラ８６に印加すると、該コントローラ８６は駆動モータ２６をオフにし、ディスプレイユニット４の閉鎖状態を維持する。
【００６３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００６４】
（要約）
ディスプレイユニットを本体ユニットに対して自動にスライド移動させることで、使用上の便宜性を向上し得る開閉方式携帯端末機を提供しようとする。ディスプレイユニット４と本体ユニット２間に形成されて、前記ディスプレイユニット４のスライド移動をガイドするガイド部２０と、前記ディスプレイユニット４が直線状移動されるように駆動させる駆動部２２と、前記ディスプレイユニット４を開放方向に押すと、前記駆動部２２に正方向の電源を印加し、前記ディスプレイユニットを閉鎖方向に押すと、前記駆動部２２に逆方向の電源を印加するスイッチング部２４と、を含んでスライド開閉方式携帯端末機の開閉装置を構成する。
【図面の簡単な説明】
【００６５】
【図１】本発明の第１実施形態に係るスライド開閉方式携帯端末機を示した斜視図である。
【図２】本発明の第１実施形態に係るスライド開閉方式携帯端末機を示した分解斜視図である。
【図３】本発明の第１実施形態に係る携帯端末機が結合された状態の図２のＡ部拡大図である。
【図４】本発明の第１実施形態に係る携帯端末機のスライド開閉装置のスイッチング部を示した側面図である。
【図５】本発明の第１実施形態に係るスライド開閉装置の動作状態図である。
【図６】本発明の第１実施形態に係るスライド開閉装置の動作状態図である。
【図７】本発明の第１実施形態に係るスライド開閉装置の動作状態図である。
【図８】本発明の第２実施形態に係るスライド開閉装置のスイッチング部を示したブロック図である。
【図９】本発明の第２実施形態に係るスライド開閉装置の制御順序を示したフローチャートである。
【図１０】本発明の第３実施形態に係るスライド開閉装置のスイッチング部を示したブロック図である。
【図１１】本発明の第３実施形態に係るスライド開閉装置の動作状態図である。
【図１２】本発明の第３実施形態に係るスライド開閉装置の動作状態図である。
【図１３】本発明の第３実施形態に係るスライド開閉装置の動作状態図である。
【図１４】従来のスライド開閉方式携帯端末機を示した斜視図である。
【符号の説明】
【００６６】
２：本体ユニット
４：ディスプレイユニット
１６：ガイドグルーブ
１８：ガイドフック
２０：ガイド部
２２：駆動部
２４：スイッチング部
２６：駆動モータ
２８：ピニオンギヤー
３０：ラックギヤー
３６：第１スイッチ動作溝
３８：第２スイッチ動作溝
４０：駆動スイッチ
４４：スイッチレバー
４６：第１固定端子
４８：第１可動端子
５０：第２固定端子
５２：第２可動端子
５４：グラウンド可動端子
５６：グラウンド固定端子
６０：スプリング
【図１】
2005033794.tif 000003
【図２】
2005033794.tif 000004
【図３】
2005033794.tif 000005
【図４】
2005033794.tif 000006
【図５】
2005033794.tif 000007
【図６】
2005033794.tif 000008
【図７】
2005033794.tif 000009
【図８】
2005033794.tif 000010
【図９】
2005033794.tif 000011
【図１０】
2005033794.tif 000012
【図１１】
2005033794.tif 000013
【図１２】
2005033794.tif 000014
【図１３】
2005033794.tif 000015
【図１４】
2005033794.tif 000016